【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
入力された入力データのレイアウト処理を行う情報処理装置であって、
前記入力データを入力する入力手段と、
前記入力データに含まれる複数の素材データからグループ化すべき素材データを決定する決定手段と、
前記グループ化すべき素材データと前記決定手段によってグループ化すべきと決定されなかった素材データとが識別可能となる出力結果を得るためのコマンドを挿入する挿入手段と、
前記入力データに含まれる複数の素材データおよび前記挿入されたコマンドを印刷装置で印刷可能なドキュメントに変換する変換手段とを備えたことを特徴とする情報処理装置。
【請求項２】
前記変換されたドキュメントを前記印刷装置に出力する出力手段を備えたことを特徴とする請求項１に記載の情報処理装置。
【請求項３】
前記入力手段によって入力された入力データの構造を解析する解析手段と、
前記解析手段によって解析された入力データの構造に従って、当該入力データに含まれる素材データの配置情報を生成する生成手段と、
前記生成された配置情報を基にテンプレートを作成する作成手段と、
前記作成されたテンプレートを用いて前記入力データを配置する配置手段とを更に備えることを特徴とする請求項１または２に記載の情報処理装置。
【請求項４】
前記生成手段は、前記データの比較・選択・加工等の処理を行って前記配置情報を生成することを特徴とする請求項３に記載の情報処理装置。
【請求項５】
前記入力された入力データはＸＭＬデータであり、
前記解析手段は、前記ＸＭＬデータのタグ構造を解析することで、前記ＸＭＬデータにおける第１タグ情報に含まれる第１素材データと第２素材データとを解析し、
前記決定手段は、前記解析手段による解析結果に従って、前記第１素材データと前記第２素材データとをグループ化すべき素材データとして決定することを特徴とする請求項３に記載の情報処理装置。
【請求項６】
前記素材データは、コメントに関するデータおよび画像に関するデータのいずれかであることを特徴とする請求項１乃至４のいずれか１項に記載の情報処理装置。
【請求項７】
前記挿入手段は、改行コマンド、改ページコマンド、罫線のいずれかを挿入することを特徴とする請求項１乃至６のいずれか１項に記載の情報処理装置。
【請求項８】
前記生成手段は、前記入力データ内に記述された優先順位に基づいて前記配置情報を生成することを特徴とする請求項３に記載の情報処理装置。
【請求項９】
前記入力された入力データの種類を判別する判別手段と、
前記判別された入力データの種類を基に、前記入力データを振り分けて格納する格納手段と、
前記格納された入力データを抽出する抽出手段とを備え、
前記生成手段は、前記抽出された入力データの配置情報を生成することを特徴とする請求項３に記載の情報処理装置。
【請求項１０】
前記格納手段は、前記入力データと当該入力データの格納場所との対応表を作成し、
前記抽出手段は、前記対応表を用いて前記入力データを抽出することを特徴とする請求項９に記載の情報処理装置。
【請求項１１】
コンピュータを用いて、入力された入力データのレイアウト処理を行う情報処理方法であって、
前記入力データを入力する入力ステップと、
前記入力データに含まれる複数の素材データからグループ化すべき素材データを決定する決定ステップと、
前記グループ化すべき素材データと前記決定ステップでグループ化すべきと決定されなかった素材データとが識別可能となる出力結果を得るためのコマンドを挿入する挿入ステップと、
前記入力データに含まれる複数の素材データおよび前記挿入されたコマンドを印刷装置で印刷可能なドキュメントに変換する変換ステップとを有することを特徴とする情報処理方法。
【請求項１２】
請求項１乃至１０のいずれかに記載の情報処理装置を実現するためのコンピュータ読
み取り可能なプログラムコードを保持する記憶媒体。
【請求項１３】
請求項１乃至１０のいずれかに記載の情報処理装置を実現するためのコンピュータ読
み取り可能なプログラムコードを有するプログラム。
【手続補正２】
【補正対象書類名】明細書
【補正対象項目名】発明の名称
【補正方法】変更
【補正の内容】
【発明の名称】情報処理装置、情報処理方法、プログラムおよび記憶媒体
【手続補正３】
【補正対象書類名】明細書
【補正対象項目名】０００１
【補正方法】変更
【補正の内容】
【０００１】
本発明は、入力された入力データのレイアウト処理を行う情報処理装置、情報処理方法、プログラムおよび記憶媒体に関する。
【手続補正４】
【補正対象書類名】明細書
【補正対象項目名】０００５
【補正方法】変更
【補正の内容】
【０００５】
そこで、本発明は、さまざまな素材に適した配置情報を自動的に算出し、印刷装置のドライバが解釈できるようなドキュメントを出力できる情報処理装置、情報処理方法、プログラムおよび記憶媒体を提供することを目的とする。
【手続補正５】
【補正対象書類名】明細書
【補正対象項目名】０００６
【補正方法】変更
【補正の内容】
【０００６】
上記目的を達成するために、本発明の情報処理装置は、入力された入力データのレイアウト処理を行う情報処理装置であって、前記入力データを入力する入力手段と、前記入力データに含まれる複数の素材データからグループ化すべき素材データを決定する決定手段と、前記グループ化すべき素材データと前記決定手段によってグループ化すべきと決定されなかった素材データとが識別可能となる出力結果を得るためのコマンドを挿入する挿入手段と、前記入力データに含まれる複数の素材データおよび前記挿入されたコマンドを印刷装置で印刷可能なドキュメントに変換する変換手段とを備えたことを特徴とする。
【手続補正６】
【補正対象書類名】明細書
【補正対象項目名】０００７
【補正方法】変更
【補正の内容】
【０００７】
本発明の情報処理方法は、コンピュータを用いて、入力された入力データのレイアウト処理を行う情報処理方法であって、前記入力データを入力する入力ステップと、前記入力データに含まれる複数の素材データからグループ化すべき素材データを決定する決定ステップと、前記グループ化すべき素材データと前記決定ステップでグループ化すべきと決定されなかった素材データとが識別可能となる出力結果を得るためのコマンドを挿入する挿入ステップと、前記入力データに含まれる複数の素材データおよび前記挿入されたコマンドを印刷装置で印刷可能なドキュメントに変換する変換ステップとを有することを特徴とする。
【手続補正７】
【補正対象書類名】明細書
【補正対象項目名】０００８
【補正方法】変更
【補正の内容】
【０００８】
本発明の請求項１に係る情報処理装置によれば、さまざまな素材に対し、印刷装置のドライバが解釈できるようなドキュメントを出力することができる。これにより、素材を作成する側の負担を軽減でき、かつ人的コストを低減できる。また、素材を作成する側では、素材自体のレイアウトを意識することなく、素材の作成に注力することができ、素材自体のクォリティの向上を期待できる。さらに、レイアウト処理側では、様々な素材に対応できる自動レイアウト機能を構築することで、素材作成側とレイアウト処理側の２つに切り離した形の、今までに無かった新しいサービスモデルを確立できる。
【手続補正８】
【補正対象書類名】明細書
【補正対象項目名】０００９
【補正方法】変更
【補正の内容】
【０００９】
請求項３に係る情報処理装置によれば、さまざまな素材に適した配置情報を自動的に算出し、入力データの配置を効率良く行うことができる。請求項８に係る情報処理装置によれば、優先順位の高い入力データを優先的に配置できる。請求項９、１０に係る情報処理装置によれば、入力データの種類に応じて効率良く入力データを抽出できる。
【手続補正９】
【補正対象書類名】明細書
【補正対象項目名】００１０
【補正方法】変更
【補正の内容】
【００１０】
本発明の情報処理装置、情報処理方法、プログラムおよび記憶媒体の実施の形態について、図面を参照しながら説明する。本実施形態の情報処理装置は、インターネット等のネットワークを介して複数の印刷装置（印刷機器群）に印刷物（ドキュメント）を配信するレイアウト出力装置に適用される。